(57)【要約】【課題】漏れ防止効果のあるカートンを提供すること。【解決手段】段ボールのような折り畳み可能な材料のブランク１から形成されたカートンであって、基部２と、折り目に沿って基部に接続された側壁３、４および端壁５、６と、折り目に沿って側壁および端壁を接続する漏れ防止ガセット手段７〜１０とを備え、各端壁または側壁が、少なくとも１つの折り目に沿って端壁または側壁に接合される第１のフラップ１９、２０と、端壁または側壁に向けてガセット手段を折り畳むと、端壁または側壁に対してフラップおよびガセット手段を完全に折り畳みやすいように折り目で第１のフラップを折り畳む形状の折り目２８に沿って、第１のフラップおよび隣接する漏れ防止ガセット手段に接合される第２のフラップ２３〜２６とを有するカートン。【選択図】  図４
2010126258.tif 000002
【特許請求の範囲】
【請求項１】
段ボールのような折り畳み可能な材料のブランクから形成されたカートンであって、
基部と、
折り目に沿って前記基部に接続された側壁および端壁と、
折り目に沿って前記側壁および前記端壁を接続する漏れ防止ガセット手段と
を備え、
前記端壁または前記側壁の各々が、
少なくとも１つの折り目に沿って前記端壁または前記側壁に接合される第１のフラップと、
前記端壁または前記側壁に向けて前記漏れ防止ガセット手段を折り畳むと、前記端壁または前記側壁に対して前記フラップおよび前記漏れ防止ガセット手段を完全に折り畳むのを助けるように前記折り目で前記第１のフラップを折り畳むような折り目に沿って、前記第１のフラップおよび隣接の前記漏れ防止ガセット手段に接合される第２のフラップと
を有する、カートン。
【請求項２】
前記第２のフラップが、前記第２のフラップの外縁部から、前記第１のフラップに対する前記第２のフラップの折り目に隣接する前記漏れ防止ガセット手段の隣接角に向かう方向に分岐する一対の隣接する折り目またはスリット線を有する、請求項１に記載のカートン。
【請求項３】
前記第１のフラップが、前記折り畳み可能な材料の厚みを考慮して、隣接する平行な折り目に沿って前記端壁に接合される、請求項２に記載のカートン。
【請求項４】
前記分岐折り目またはスリット線の対が、前記漏れ防止ガセット手段を前記端壁に向かって折り畳むと、前記第１のフラップが、前記第２のフラップに対する折り目の周りで前記端壁の方向に引っ張られることで、前記隣接する端壁に対して折り畳むように前記第１のフラップおよび前記ガセットを準備した後、適所に固定される、請求項２または３に記載のカートン。
【請求項５】
前記分岐折り目の対が、前記折り目に沿って簡単に折り畳みやすいように、断続的な穿孔によって規定され、図１を参照して記載したような形状を有する、請求項４に記載のカートン。
【請求項６】
前記第１のフラップが、前記第２のフラップの外縁部に隣接したロックタブとともに形成され、前記タブが、前記側壁に固定された折り畳み可能な側壁拡張フラップ間で係合して側壁の厚みが２倍または３倍になるように、前記第１のフラップに対して折り目で折り畳み可能である、請求項１〜５のいずれか一項に記載のカートン。
【請求項７】
最も外側の側壁フラップ拡張が、前記側壁と前記側壁フラップ拡張との間の適所に前記ロックタブを保持するために、前記ロックタブの成形部分によって係合される開口部を有する、請求項６に記載のカートン。
【請求項８】
前記端壁が、折り目で折り畳まれるフラップを有し、各フラップが、折り畳み可能なタブを有する中央手掛け穴とともに形成され、前記折り畳み可能なタブが、折り畳まれると、前記手掛け穴の中央に位置するハンドルを規定し、前記ハンドルを用いて前記カートンを持ち上げやすくなるようにした、請求項１〜６のいずれか一項に記載のカートン。
【請求項９】
前記折り畳み可能なタブが、前記端壁の下縁部内に折り畳まれる、請求項８に記載のカートン。
【請求項１０】
前記カートンが、実質的に添付の図面の図１を参照しながら記載したブランクから形成される、請求項１〜９のいずれか一項に記載のカートン。
【請求項１１】
実質的に添付の図面の図１および図３〜図６を参照して記載されるカートン。
【請求項１２】
実質的に添付の図面の図２を参照して記載されるブランクから形成された蓋をさらに備える、請求項１〜１１のいずれか一項に記載のカートン。
【請求項１３】
実質的に添付の図面の図７および図８を参照して記載されるカートンおよび蓋。
【発明の詳細な説明】
【技術分野】
【０００１】
本発明は、例えば、カートンに保持された氷粒子による冷却が必要な産物を包装および輸送する際に使用するための漏れ防止カートン、箱ないしは容器に関する。
【背景技術】
【０００２】
ブロッコリーのような野菜などの生鮮品や肉や魚のような生鮮品などの生鮮品の包装に、漏れ防止カートンが広く使用されている。
【０００３】
Ａｍｃｏｒの豪国特許出願公開第２００６２０１７７７号に、最近開発された漏れ防止カートンの一例が示されている。同文献の開示は、相互参照により本明細書に組み入れられる。
【０００４】
漏れ防止カートンの他の例は、Ｖｉｓｙ  Ｒ＆Ｄ  Ｐｔｙ  Ｌｔｄ．の豪国意匠登録第３１９６７４号および同第３１９６７５号である。
【０００５】
漏れ防止カートンに関連する問題の１つとして、ブランクから漏れ防止カートンを組み立てる際に生じ得る問題がある。ブランクは、手動または機械で組み立てられてもよいが、側壁の厚みを２倍または３倍にするためにブランクを折り畳む必要があるため、組み立ての問題が生じ得る。
【発明の概要】
【発明が解決しようとする課題】
【０００６】
本発明の目的は、組み立てがより簡単な改良された漏れ防止カートンを提供することである。
【課題を解決するための手段】
【０００７】
本発明によれば、段ボールのような折り畳み可能な材料のブランクから形成されたカートンであって、基部と、折り目に沿って基部に接続された側壁および端壁と、折り目に沿って側壁および端壁を接続する漏れ防止ガセット手段とを備え、各端壁または側壁が、少なくとも１つの折り目に沿って端壁または側壁に接合される第１のフラップと、端壁または側壁に向けてガセット手段を折り畳むと、端壁または側壁に対してフラップおよびガセット手段を完全に折り畳みやすいように折り目で第１のフラップを折り畳む形状の折り目に沿って、第１のフラップおよび隣接する漏れ防止ガセット手段に接合される第２のフラップとを有するカートンが提供される。
【０００８】
１つの形態において、第２のフラップは、カートンの端壁に接合される。
【０００９】
好ましい形態において、第２のフラップは、第２のフラップの外縁部から、第１のフラップに対する第２のフラップの折り目に隣接するガセット手段の隣接角に向かう方向に分岐する一対の隣接する折り目を有する。
【００１０】
第１のフラップは、折り畳み可能な材料の厚みを考慮するように隣接する平行な折り目に沿って端壁に接合される。
【００１１】
１つの形態において、分岐折り目の対は、ガセット手段を端壁に向かって折り畳むと、第１のフラップが、第２のフラップに対する折り目の周りで端壁の方向に引っ張られることで、隣接する端壁に対して折り畳むように第１のフラップおよびガセットを準備した後、適所に固定される。分岐折り目の対は、折り目に沿って簡単に折り畳みやすいように、断続的な穿孔によって規定されることが好ましい。
【００１２】
１つの実施形態において、第１のフラップは、第２のフラップの外縁部に隣接したロックタブとともに形成され、このタブは、側壁に固定された折り畳み可能な側壁拡張フラップ間で係合して側壁の厚みが２倍または３倍になるように、第１のフラップに対して折り目で折り畳み可能である。１つの特定の形態において、最も外側の側壁フラップ拡張が、側壁と側壁フラップ拡張との間の適所にロックタブを保持するために、ロックタブの成形部分によって係合される開口を含む。
【００１３】
好ましい実施形態において、カートンの端壁は、折り目で折り畳まれるフラップを有し、各フラップは、折り畳み可能なタブを有する中央手掛け穴とともに形成され、折り畳み可能なタブは、折り畳まれると、手掛け穴の中央に位置するハンドルを規定し、ハンドルを用いてカートンを持ち上げやすくなる。
【００１４】
カートンを形成するブランクおよび／または蓋を形成するブランクは、ポリエチレン／ラミネート紙および／またはＰＥＴ／ポリエチレン接着ラミネートなどの適切な防水材料から作られてもよい。このような材料は、当分野で既知のものであるため、以下にさらに詳細には記載しない。
【００１５】
以下、添付の図面を参照しながら、本発明の実施形態について記載する。
【図面の簡単な説明】
【００１６】
【図１】本発明を具現化するカートンを形成するブランクの平面図である。
【図２】カートンの蓋を形成するブランクの平面図である。
【図３】端部パネルのフラップを折り畳んでカートンを完成させる方法を示した、ブランク１から部分的に組み立てられたカートンを示す。
【図４】カートンを完成させる際の次のステップを示す。
【図５】完全に組み立てた状態のカートンを示す。
【図６】カートンの端部が閉位置に保持される方法の詳細図である。
【図７】完成したカートンへの完成した蓋の組み付けを示す。
【図８】適所に持ち上げハンドルを有する組み立てられたカートンおよび蓋を示す。
【発明を実施するための形態】
【００１７】
最初に図１を参照すると、ブランク１は、図示するように、基部２と、図示したような折り目に沿って基部２に接合された側壁３および４および端壁５および６と、図示したように折り目に沿って側壁および端壁をそれぞれ接続し、各々が中央対角線上の折り目１１を含む漏れ防止ガセット７、８、９、および１０とを含む。
【００１８】
各側壁３および４は、平行な折り目１４に沿って側壁にそれぞれ接続された第１のフラップ１２および１３と、折り目１７に沿って第１のフラップ１２および１３にそれぞれ接続された第２のフラップ１５および１６とを含む。第２のフラップ１５および１６は、開口部１８とともに形成され、この開口部１８については、以下に記載する。
【００１９】
端壁５および６の各々は、第１のフラップ１９および２０を有し、第１のフラップ１９および２０は、中央手掛け穴２１とともに形成された外縁部を有し、平行な折り目２２によって端壁５および６に接続される。中央手掛け穴２１は、図５に示すように、カートンに持ち上げハンドル３６を設けるために、図示するような平行な折り目によって規定された折り畳み可能なハンドル３６を有する。
【００２０】
第２の成形フラップ２３、２４、２５、および２６は、平行な折り目２７に沿って第１のフラップ１９および２０の側縁部からそれぞれ延在し、スリット線２８に沿ってガセット手段７〜１０の隣接部分に接続され、スリット線２８は、第２のフラップ２３〜２６の外縁部から、一端部で平行な折り目２２に揃えられたカットアウト２９に向かって分岐する。
【００２１】
第１のパネル１９および２０の各側縁部が、折り目３１によって第１のパネルに接続されたロックタブ３０とともに形成される。成形ロックタブ３０の目的は、以下にさらに記載するように、開口１８と係合することである。
【００２２】
以下、図３〜図６を参照すると、上述したブランク１は、フラップ１５および１６をフラップ１２および１３の上へ折り畳み、ガセット７〜１０が部分的に組み立てられたカートンの外側に折り畳めるように、基部２に対して側壁３および４と、端壁５および６とを折り畳むことによって組み立てられる。次に、ガセット７〜１０は、端壁５および６に向けて折り畳まれ、ガセットと第２のフラップ２３〜２６とが結合することで、第１のフラップ１９および２０は、外側の折り目２２の周りで折り畳み始める。この動きは、当業者に理解されているように、分岐するスリット線２８に助けられる。
【００２３】
第１のフラップ１９および２０を端壁５および６に向けて折り畳み続けると、図４に示すように、ガセット手段２３〜２５が端壁５および６に対して平坦になる。次に、ロックタブ３０は、図４に示すように、内側に折り畳まれ、図５に示すように、および図６にさらに明確に示すように、ロックタブ３０の成形端部が開口１８と係合するまで、側壁３および４と、その上を覆うフラップ対１２および１５、１３および１６との間に差し込まれる。これにより、カートン３１が直立し、要求される産物を受け入れる準備が整う。
【００２４】
図２を参照すると、蓋ブランク４０は、図示するようにすべて折り目で規定された、上部パネル４１と、側部パネル４２および４３と、端部パネル４４および４５とを含む。端部フラップ４６を含む端部パネル４４および４５は、側部パネル４２および４３内に折り畳まれ、適所に接着される。
【００２５】
図７および図８を参照すると、蓋５２によって上述したカートン３１を閉じると、蓋付きのカートンを無理なく持ち上げられる手段を与えるようにハンドル３６が露出された状態のままである。
【００２６】
本明細書および特許請求の範囲から、文脈において他に特記しない限り、「備える（ｃｏｍｐｒｉｓｅ）」という用語および「備える（ｃｏｍｐｒｉｓｅｓ）」や「備える（ｃｏｐｒｉｓｉｎｇ）」などの変形の用語が、言及した整数またはステップや整数群またはステップ群の含有を意味するが、任意の他の整数またはステップや整数群またはステップ群を排除するものではないことを理解されたい。
【００２７】
本明細書における任意の先行文献（または同文献から得られた情報）や任意の既知の方法の参照は、先行文献（または同文献から得られた情報）や任意の既知の方法が、本明細書の関連分野における周知の一般知識の一部をなすという認識、容認、または任意の形態の提案として受け取られるものではなく、また受け取られるべきものではない。
【符号の説明】
【００２８】
１…ブランク、２…基部、３、４…側壁、５、６…端壁、７〜１０…漏れ防止ガセット手段、１１、１４、１７、２２、２７、２８、３１…折り目、１２、１３、１５、１６、１９、２０、２３〜２６、４６…フラップ、１８…開口、２１…手掛け穴、２９…カットアウト、３０…ロックタブ、３６…持ち上げハンドル、４０…蓋ブランク、４１…上部パネル、４２、４３…側部パネル、４４、４５…端部パネル、５２…蓋。
【図１】
2010126258.tif 000003
【図２】
2010126258.tif 000004
【図３】
2010126258.tif 000005
【図４】
2010126258.tif 000006
【図５】
2010126258.tif 000007
【図６】
2010126258.tif 000008
【図７】
2010126258.tif 000009
【図８】
2010126258.tif 000010
【外国語明細書】
2010126258000001.pdf